(57)【要約】      （修正有）【課題】少ない種類の構成部材により組立が容易で、かつある程度の強度と多様な形態とを実現できる組立式簡易構造体を提供する。【解決手段】本組立式簡易構造体は、複数の１／４円弧状パイプと複数のパイプ支持スタンドと複数のパイプ連結ジョイントとからなることを特徴とする。前記パイプは交差して配置されていることが望ましく、前記スタンドは複数の前記パイプを放射状に保持固定できる支持部を備えていることが好適である。【選択図】図１
0003156800.tif 000002
【実用新案登録請求の範囲】
【請求項１】
複数の１／４円弧状パイプと複数のパイプ支持スタンドと複数のパイプ連結ジョイントとからなることを特徴とする組立式簡易構造体。
【請求項２】
前記パイプは交差して配置されていることを特徴とする請求項１記載の組立式簡易構造体。
【請求項３】
前記スタンドは複数の前記パイプを放射状に保持固定できる支持部を備えていることを特徴とする請求項１または２記載の組立式簡易構造体。
【請求項４】
外周面が曲面により構成されることを特徴とする請求項１乃至３のいずれかに記載の組立式簡易構造体。
【請求項５】
前記外周面が１／８球状であることを特徴とする請求項１乃至４のいずれかに記載の組立式簡易構造体。
【請求項６】
前記外周面が１／４球状であることを特徴とする請求項１乃至４のいずれかに記載の組立式簡易構造体。
【請求項７】
前記外周面が１／２球状であることを特徴とする請求項１乃至４のいずれかに記載の組立式簡易構造体。
【請求項８】
複数の１／４円弧状パイプと、複数の直線状パイプと、複数のパイプ支持スタンドと、複数のパイプ連結ジョイントとからなることを特徴とする組立式簡易構造体。
【請求項９】
前記パイプは交差して配置されていることを特徴とする請求項８記載の組立式簡易構造体。
【請求項１０】
前記スタンドは複数の前記パイプを放射状に保持固定できる支持部を備えていることを特徴とする請求項８または９記載の組立式簡易構造体。
【請求項１１】
外周面が曲面により構成されることを特徴とする請求項８乃至１０のいずれかに記載の組立式簡易構造体。
【考案の詳細な説明】
【技術分野】
【０００１】  本考案は、少ない部材により園芸用パーゴラや簡易テントなど種々の形態を構成可能な組立式簡易構造体に関する。
【背景技術】
【０００２】  従来から、テントなどの組立式簡易構造体として種々の構成が提案されているが、部品の種類が多かったり構造が複雑であったりして、所望する形状に適合する構造体を安価にしかも簡便に構成することが困難であった。【０００３】  例えば、特許文献１には、複数の円弧状の支持フレームが、それぞれ左右両基盤にまたがって立設され、各支持フレームは垂直の位置と、所定の傾斜を持つ位置とに回動できるようにし、各支持フレームが所定の傾斜を持つ位置にそれぞれ配設して、全体にテントカバーを被覆したとき、側面視扇状となることを特徴とする簡易車庫が開示されている。この技術においては、複数の半円状フレームが互いに交差することなく基盤に挿入され、ボルトにより回動自在に支持されている。フレームの断面形状については言及がない。フレームはその両端部において１箇所ずつボルトで支持され、しかも回動自在にされているため、固定力が弱く応力に対して脆弱であるという問題点がある。また複数のフレームも互いに交差することなく並行して配設されているため、回動には適するが強度上の問題がある。【０００４】  また、特許文献２には、円弧状パイプを二重に配設して半円筒状のテントを構成する技術が開示されている。この技術は耐久性と強度を目的としているため、構造が複雑で使用部材の種類も多く、組立が煩雑である。また、価格も高価になってしまうという問題がある。【０００５】
【特許文献１】実用新案登録第３１４２９５７号公報
【特許文献２】特許第３９４３２４４号公報
【考案の開示】
【考案が解決しようとする課題】
【０００６】  本考案は上述の問題点に鑑みてなされたものであり、少ない種類の構成部材により組立が容易で、かつある程度の強度と多様な形態とを実現できる組立式簡易構造体を提供することを課題とする。
【課題を解決するための手段】
【０００７】  上記課題を解決するため本考案による組立式簡易構造体は、複数の１／４円弧状パイプと複数のパイプ支持スタンドと複数のパイプ連結ジョイントとからなることを特徴とする。【０００８】  前記パイプは交差して配置されていることが望ましく、前記スタンドは複数の前記パイプを放射状に保持固定できる支持部を備えていることが好適である。【０００９】  本組立式簡易構造体の外周面は曲面により構成されることが望ましく、１／８球状、１／４球状、１／２球状等の形状にすることができる。【００１０】  本考案による別の組立式簡易構造体では、複数の１／４円弧状パイプと、複数の直線状パイプと、複数のパイプ支持スタンドと、複数のパイプ連結ジョイントとからなることを特徴とする。【００１１】  前記パイプは交差して配置されていることが望ましく、前記スタンドは複数の前記パイプを放射状に保持固定できる支持部を備えていることが好適である。また、外周面は外周面は曲面により構成されることが望ましい。
【考案の効果】
【００１２】  本考案による組立式簡易構造体では、数種類の基本的な部品により多彩な形状を構成することができるため、用途に合わせて最適な形状を実現することが可能であり、また部品種類が少ないため安価に製造することができ、さらに組立も容易である。
【考案を実施するための最良の形態】
【実施例】
【００１３】  以下、図面に基づいて本考案の好適な実施例について説明する。図１は、本考案による組立式簡易構造体の基本的な構成例を示す。この例においては、２基のパイプ支持スタンド３と、７本の１／４円弧状パイプ１とパイプ同士を連結するジョイントを組み合わせることにより、１／８球状の形状としている。１／４円弧状パイプ１は図２に示したように、円の１／４の長さを持った湾曲パイプである。【００１４】  基本的なパイプ支持スタンド３の形状は図４に示した。円形のスタンド基板３１の中央に２個の並行した突起固定板３２が配置されており、複数のパイプ支持突起３３がこの突起固定板３２により放射状に固定されている。パイプ支持突起３３の個数と角度は必要に応じて変更することができる。【００１５】  上記図１の実施例においては、パイプ支持スタンド３には４個のパイプ支持突起３３を備えており、それぞれにパイプ１を挿通する。パイプ１のうち１本は地面に平行にパイプ支持スタンド３同士を接続するように配置する。他の３本ずつのパイプ１は各パイプ支持スタンド３のパイプ支持突起３３に挿通して、互いに交差するように配置する。各パイプ１の端部１１は図６に示した端部連結ジョイント５を用いて、２本のパイプを連結する。また、必要に応じて、パイプ同士の交差部１２には、図７に示した結束バンドまたは図１０に示した交差部連結ジョイント７により結合することができる。この実施例の構造体は、それ自身では安定性が悪いので、例えば家の壁などに寄りかからせたり、或いは支柱を用いて支持することが望ましい。【００１６】  端部連結ジョイント５は、パイプ１より大きいパイプ挿通穴５２を有するパイプ保持リング２片が補強用リブ５３により直角に配置されており、図９に示したように２本のパイプ１をそれぞれのパイプ挿通穴５２に挿通することによりパイプ１同士を直角に支持することができる。このようなジョイントは市販のものが利用できる。【００１７】  また、結束バンド６も市販品が利用できる。結束バンド６は、図８に示したようにパイプ１の交差部１２において２本をたすき掛けにすることによりパイプ１同士を固定支持することができる。【００１８】  図１１には、本考案による組立式簡易構造体の別の基本的形態を示した。これは、図１に示した基本的構造体形態を２組用意し、これらの間を延長用部材で連結した構造を有する。延長用部材としては直線状パイプ２を使用し、さらに１／４円弧状パイプ１も補強用として増設する。１／４円弧状パイプ１と直線状パイプ２の連結には図５に示した主連結ジョイント４を用いる。これは、外径が１／４円弧状パイプ１及び直線状パイプ２の内径よりも細く構成されており、パイプないに挿入してパイプ同士を連結することができる。１／４円弧状パイプ１同士を連結する場合は、主連結ジョイント４が直線状でなく円弧状に湾曲していることが望ましい。【００１９】  図１２に、本考案による組立式簡易構造体の種々の実施形態を示した。（ａ−１）が上述した図１の実施例である。（ａ−３）から（ａ−６）の半球状形態にすると、地面上に安定的に自立することが可能となる。（ｂ−１）及び（ｂ−２）は、上記図１１の実施例の応用形態である。これらは本考案の好適な実���形態の一部であり、これらに限定されるものではない。【００２０】  本考案の組立式簡易構造体では、１／４円弧状パイプ１を主構成部材として使用することにより円弧の長さが同一であることを利用して、多種多様な形態を構成することが可能となり、また、直線状パイプ２を併用することによりさらに多様性を広げることができる。
【産業上の利用可能性】
【００２１】  本考案による組立式簡易構造体では、数種類の基本的な部品により多彩な形状を構成することができるため、用途に合わせて最適な形状を実現することが可能であり、また部品種類が少ないため安価に製造することができ、さらに組立も容易である。本考案の組立式簡易構造体はそのままで園芸用のパーゴラとして使用することができ、また布地で覆うことによりテントとして使用することもできる。
【図面の簡単な説明】
【００２２】
【図１】本考案による組立式簡易構造体の基本的形態を示す斜視図である。
【図２】本考案による組立式簡易構造体の構成部材である１／４円弧状パイプを示す図である。
【図３】本考案による組立式簡易構造体の構成部材である直線状パイプを示す図である。
【図４】本考案による組立式簡易構造体の構成部材であるパイプ支持スタンドを示す斜視図である。
【図５】本考案による組立式簡易構造体の連結に使用する主連結ジョイントを示す図である。
【図６】本考案による組立式簡易構造体の連結に使用する端部連結ジョイントを示す図である。
【図７】本考案による組立式簡易構造体の連結に使用する結束バンドを示す図である。
【図８】図７に示した結束バンドを使用例を示す図である。
【図９】図６に示した端部ジョイントの使用例を示す巣である。
【図１０】本考案による組立式簡易構造体の連結に使用する交差部連結ジョイントとその使用例を示す図である。
【図１１】本考案による組立式簡易構造体の別の基本的形態を示す斜視図である。
【図１２】本考案による組立式簡易構造体の実施形態例を示す図である。
【符号の説明】
【００２３】１    １／４円弧状パイプ
２    直線状パイプ
３    パイプ支持スタンド
４    主連結ジョイント
５    端部連結ジョイント
６    結束バンド
７    交差部連結ジョイント
１１  パイプ端部
１２  パイプ交差部
３１  スタンド基板
３２  突起固定板
３３  パイプ支持突起
３４  スタンド固定用穴
５１  パイプ保持リング
５２  パイプ挿通穴
５３  補強用リブ
７０  パイプ装着湾曲部Ａ
７１  パイプ装着湾曲部Ｂ
７２  返し部
７３  固定板
７４  突起部
【図１】
0003156800.tif 000003
【図２】
0003156800.tif 000004
【図３】
0003156800.tif 000005
【図４】
0003156800.tif 000006
【図５】
0003156800.tif 000007
【図６】
0003156800.tif 000008
【図７】
0003156800.tif 000009
【図８】
0003156800.tif 000010
【図９】
0003156800.tif 000011
【図１０】
0003156800.tif 000012
【図１１】
0003156800.tif 000013
【図１２】
0003156800.tif 000014